(57)【要約】      （修正有）【課題】洗浄水の流れ方向を矯正して便鉢を効果的に洗浄できる水栓便器を提供する。【解決手段】水洗便器は、便鉢２と、その後方に配される洗浄水給水部と、便鉢２と洗浄水給水部との間に設けられた通水部１７を備える。通水部１７内には第２吐水路２４が形成され、第２吐水路２４の下流端には便鉢２に対する第２吐水口２６が開口している。第２吐水路２４の途中には洗浄水の流れの向きを変える曲げ部Ｃが形成されている。第２吐水口２６の開口縁のうち上縁には、洗浄水の流れの方向を下向きに矯正するガイド部２７が形成されている。【選択図】図２
2015194005.tif 000002
【特許請求の範囲】
【請求項１】
便鉢と、
便鉢の後方に配される洗浄水給水部と、
前記便鉢と前記洗浄水給水部との間に設けられ前記洗浄水給水部から前記便鉢へ洗浄水を通過させる吐水路を有し、この吐水路の下流端には前記便鉢に対する吐水口が開口して形成された通水部とを備え、
前記吐水路における前記吐水口あるいはその近傍の部位に、前記洗浄水が前記吐水路を構成する壁面に突き当たった後に前記吐水口へ向けて流れの向きを変える曲げ部が形成されるとともに、前記曲げ部の下流側において前記吐水路を構成する壁面には、前記洗浄水の流れの方向を下向きに矯正するガイド部が形成されていることを特徴とする水洗便器。
【請求項２】
前記ガイド部は、前記吐水口の開口縁部のうち上縁部において下向きに突出して形成されていることを特徴とする請求項１記載の水洗便器。
【請求項３】
前記ガイド部は、前記吐水口における開口縁部のうち上縁部と前記洗浄水が前記曲げ部によって流れの向きを変えるときの外周側に位置する側壁とに接続されて突出形成され、その突出端は前記洗浄水が流れの向きを変えるときの内周側に位置する側壁から離間していることを特徴とする請求項１に記載の水洗便器。
【発明の詳細な説明】
【技術分野】
【０００１】
本発明は、水洗便器に関するものである。
【背景技術】
【０００２】
従来、下記特許文献１に開示された水洗便器のように、便鉢の後部に形成された通水路が２方向に分岐する形式のものが知られている。一方の分岐は便鉢に沿って形成され、その端部は便鉢内の上部側面において第１吐水口として開口している。この第１吐水口からは洗浄水が略水平に吐水され、便鉢内を略全周に沿って旋回する流れが形成される。他方の分岐は、一方の分岐とは逆向きで便鉢に沿うようにして形成され、端部近くでは略Ｕ字状に折り返すように形成された曲げ部を介して便鉢内の後部側面に第２吐水口として開口している。この第２吐水口からは多くの洗浄水が便鉢内に向けて下方へ向かうようにしてある。
【先行技術文献】
【特許文献】
【０００３】
【特許文献１】特許第４７０２９２２号公報（図３）
【発明の概要】
【発明が解決しようとする課題】
【０００４】
上記したように、従来の水洗便器では、第２吐水口の近くに略Ｕ字状に折り返す曲げ部が形成されて、第２吐水口から吐水された洗浄水は便鉢に下向きに流れるようにしている。このような急激な曲りがある箇所では、洗浄水は一旦曲げ部の壁に突き当たってから流れの向きを変えるため、洗浄水は曲げ部の壁にぶつかったときに上方へ拡散するような流れを形成する。しかし、洗浄水はその直後に第２吐水口から吐水されるため、洗浄水の一部は上向きに吐水され、飛沫となったり、下向きの流れが弱くなったりする。そうなると、洗浄水が封水部から便器排水路へ向けて流れる力が弱くなり、排出性能が不十分になるおそれがある。こうした事態は節水タイプの便器において特に問題となる。
【０００５】
本発明は、上記のような事情に基づいて完成されたものであって、排出性能の向上を図ることができる水洗便器を提供することを目的とする。
【課題を解決するための手段】
【０００６】
本発明の水洗便器は、便鉢と、便鉢の後方に配される洗浄水給水部と、便鉢と洗浄水給水部との間に設けられ洗浄水給水部から便鉢へ洗浄水を通過させる吐水路を有し、この吐水路の下流端には便鉢に対する吐水口が開口して形成された通水部とを備え、吐水路における吐水口あるいはその近傍の部位に、洗浄水が吐水路を構成する壁面に突き当たった後に吐水口へ向けて流れの向きを変える曲げ部が形成されるとともに、曲げ部の下流側において吐水路を構成する壁面には、洗浄水の流れの方向を下向きに矯正するガイド部が形成されていることを特徴とする。
【発明の効果】
【０００７】
本発明によれば、洗浄水給水部から供給される洗浄水は通水部内の吐水路を通って吐水口を介して便鉢内に給水される。その場合において、洗浄水は曲げ部を通過する際に、曲げ部の壁面に突き当たる。このため、洗浄水は上方にも拡散することとなる。仮に、このまま吐水口から吐水されると、洗浄水の一部は便鉢内部に向かわず、飛沫となって上方へ飛び出したりする。その点、本発明によれば、曲げ部の下流側に設けられたガイド部が洗浄水の流れの方向を下向きに矯正するため、洗浄水を吐水口から便鉢の内部下方に向けて吐水させることができる。
【図面の簡単な説明】
【０００８】
【図１】実施例１に係る水洗式の便器本体の平面図
【図２】同じくガイド部付近を破断して示す斜視図
【図３】第２吐出口付近を前面側から見た斜視図
【図４】ガイド部を示す断面図
【図５】実施例２に係る水洗便器のガイド部付近を破断して示す斜視図
【発明を実施するための形態】
【０００９】
本発明における好ましい実施の形態を説明する。
（１）前記ガイド部は、前記吐水口の開口縁部のうち上縁部において下向きに突出して形成されるようにするとよい。
このような構成によれば、ガイド部を吐水口部分に形成したため、洗浄水の吐出方向の矯正を確実に行うことができる。
【００１０】
（２）前記ガイド部は、前記吐水口における開口縁部のうち上縁部と前記洗浄水が前記曲げ部によって流れの向きを変えるときの外周側に位置する側壁とに接続されて突出形成され、その突出端は前記洗浄水が流れの向きを変えるときの内周側に位置する側壁から離間した構成とするとよい。
洗浄水が曲げ部を通過する際には流れの外周側が水流が速く、その分、外周側では洗浄水の流れが上方へと向きやすい。上記のような構成であれば、ガイド部が、洗浄水を下向きに矯正するのに効果的な部位にのみ限定して形成され、他はそのまま洗浄水を通過させるようになっている。したがって、洗浄水の水勢低下はガイド部が設けられた部分だけの限定的なものとなるため、洗浄水全体としての水勢を良好なまま保持することができる。
【００１１】
＜実施例１＞
本実施例の水洗式便器は便器本体１を有している。便器本体１の前部には便鉢２が形成されている。便鉢２は上方に開口して形成され、開口縁の全縁には便座（図示しない）を支持するための便座支持面３が内方へ水平に張り出して形成されている。便座支持面３の下方における便鉢２の内面は棚状にリム通水路４が形成され、洗浄水が旋回流となって流れるようにしている。便鉢２内の底部は図示しない排水流路へと通じている。
【００１２】
便鉢２の後方には洗浄水を便鉢２へ供給するための洗浄水給水部１２が設けられている。洗浄水給水部１２は上方へ開放する筒状に形成され、その上面には洗浄水が貯留される図示しないタンク本体が載置される。洗浄水給水部１２内には洗浄水を二方向に分配するための分配器１３が収納されている。分配器１３は、図示しないタンク本体の流出口に連通する流入管１４と、二方向に分岐する第１・第２の吐水管１５，１６とを有している。両吐水管１５，１６は洗浄水給水部１２の前面に開口する一対の通し孔（図示しない）を介して次述する通水部１７内に差し込まれている。
【００１３】
便器本体１の上部であって、洗浄水給水部１２と便鉢２との間には通水部１７が設けられている。通水部１７は便器本体１において、便鉢２の後方の部位にトンネル状、つまり上下に壁１７Ａ，１７Ｂを有した状態で形成されている。
【００１４】
通水部１７内の前部であって便器本体１方向の左右方向中央部には、第１・第２の吐水管１５，１６の先端部に挟まれるようにして前面壁体２０が配されており、通水部１７内の上壁１７Ａと下壁１７Ｂに接続されて形成されている。図１、図２に示すように、前面壁体２０の前面２０Ａと後面２０Ｂとは前後方向に間隔をおいて対向している。前面壁体２０の後面２０Ｂは洗浄水給水部１２の前面との間に前後方向へ所定間隔をおいて対向している。図２、図３に示すように、前面壁体２０の前面２０Ａは便鉢２内の側面を兼ねている。
【００１５】
図１に示すように、通水部１７内における前面壁体２０の左側には第１吐水路２１が形成され、その下流端は便鉢２の左側上部に第１吐水口２２として開口し、リム通水路４に通じている。かくして、第１吐水管１５から吐出された洗浄水は第１吐水路２１、第１吐水口２２を経てリム通水路４に吐水される。このときの吐水方向はリム通水路４に沿う方向、つまり便鉢２内の周方向に沿う方向であるため、洗浄水は図１において反時計回りの旋回流となって、便鉢２をほぼ一周する。
【００１６】
一方、図１、図２に示すように、通水部１７内における前面壁体２０の右側部には、通水部１７内の右側壁１７Ｒに向けて迫り出した迫り出し部２３が形成されている。このことにより、前面壁体２０の右側に形成された第２吐水路２４は迫り出し部２３において洗浄水の流路幅が狭められ、第１吐水路２１に比べて狭くなっている。
【００１７】
また、通水部１７内における第２吐水路２４の前部であって、迫り出し部２３より前方の位置には規制壁２５が設けられている。この規制壁２５は右側壁１７Ｒの前端から内方へ略直角に屈曲するようにして形成されている。前面壁体２０の左側部は前後方向に沿った側壁が形成されているのに対し、迫り出し部２３の迫り出し端部は尖り気味（曲率の大きい円弧状）に形成されている。
【００１８】
さらに、規制壁２５の左側端と前面壁体２０の前面（迫り出し部２３の付け根部分）との間には第２吐水口２６が開口している。かくして、第２吐水路２４を通過する過程で、洗浄水は通水部１７内の右側壁１７Ｒおよび規制壁２５にぶつかって進行方向を急激に内側へ強制的に変更させられ、第２吐水口２６より便鉢２内に向けて下向きに吐水される。このように、通水部１７内の右側壁１７Ｒ、規制壁２５及び迫り出し部２３が、洗浄水の流れの向きを変える「曲げ部Ｃ」を構成する。
【００１９】
ところで、第２吐水口２６から吐水された洗浄水が規制壁２５に突き当たると、洗浄水は上方へも拡散する。このため、洗浄水は第２吐水口２６に至るまでの間、第２吐水路２４の天井面に押し上げ方向の力を作用させた状態にある。したがって、そのような洗浄水がそのまま第２吐水口２６から吐水されると、第２吐水口２６の上縁部分を通過する洗浄水は便鉢２内の下方向に向かわず、便鉢２内の上部空間を飛沫となったり、下向きの流れが弱くなったりし易い。そこで、本実施例においては、第２吐水口２６における開口縁の上縁にガイド部２７を突出させ、このガイド部２７によって洗浄水を上方から押さえ付けるようにすることで、洗浄水が飛沫化したり、下方への流れが弱くなったりすることを抑制している（図２乃至図４参照）。
【００２０】
すなわち、ガイド部２７は、第２吐水口２６の開口縁の全幅に亘って形成されている。換言すれば、ガイド部２７は通水部１７の上壁１７Ａの内面から鉛直方向に突出している。その幅方向に関する一端側は規制壁２５における内端部に接続され、他端側は迫り出し部２３の前面側付け根部に接続されている。図４に示すように、本実施例では、ガイド部２７は断面略正方形状に形成されている。ガイド部２７が上壁１７Ａの内面から突出する高さは、第２吐水口２６の開口高さ寸法の半分より小さ目の程度に設定されている。かくして、第２吐水路２４は第２吐水口２６において、洗浄水の流路が上方から絞られている。
【００２１】
次に、上記のように構成された実施例１の作用効果について説明する。洗浄水は、洗浄水給水部１２の分配器１３により第１・第２の吐水管１５，１６を通して２方向に分かれて流出する。
【００２２】
第１吐水管１５から吐出された洗浄水は、第１吐水路２１、第１吐水口２２を経てリム通水路４に流れ込む。このときの吐水方向はリム通水路４に沿う方向、つまり便鉢２内の周方向に沿う方向であるため、洗浄水は図１において反時計回りの旋回流となって、便鉢２をほぼ一周する。
【００２３】
一方、第２吐水管１６から吐出された洗浄水は、第２吐水路２４の曲げ部Ｃ（通水部１７内の右側壁１７Ｒ、規制壁２５及び迫り出し部２３によって構成される。）を通過する間に、流れの向きが内向きに強制的に変えられ、第２吐水口２６より便鉢２内の下方へ向けて吐水される。
【００２４】
前述したように、洗浄水が通水部１７内の右側壁１７Ｒおよび規制壁２５に突き当たったときに、洗浄水は拡散して上方へも拡がる。したがって、洗浄水は通水部１７内の上壁１７Ａに対し押し上げ方向の力を作用させた状態で第２吐水口２６に至る。しかし、第２吐水口２６に至った洗浄水は、ガイド部２７を通過する際にガイド部２７によって下向きに押さえ込まれるため、洗浄水は全体として下向きの流れとなり、便鉢２の内壁に沿いつつ下方へ吐水される。このように、洗浄水は、従来とは異なり、多くの洗浄水は下方へ向けて流れるため、排出性能が高められ、また便器洗浄を良好に行うことができる。換言すれば、洗浄水が効果的に利用できるため、節水にも寄与する。
【００２５】
＜実施例２＞
図５は本発明の実施例２の要部を拡大して示している。実施例１のガイド部２７は、第２吐水口２６の開口縁のうち上縁の全幅に亘って形成されていたが、本実施例２のガイド部３０は第２吐水口２６の開口幅の一部範囲に限定された形態となっている。
【００２６】
具体的には、ガイド部３０は第２吐水口２６の開口縁において、通水部１７の上壁１７Ａ内面から突出しつつ規制壁２５の内端から迫り出し部２３の付け根部前面側に向けて途中（開口幅の略半分程度）まで延出しており、ガイド部３０の延出端と迫り出し部２３とは離間している。また、図５に示すように、ガイド部３０の下面はガイド部３０の付け根側端部から延出側端部にかけて上り勾配となる傾斜面としてあり、上壁１７Ａの内面からの突出高さが延出端側に向けて徐々に小さくなるように形成されている。
【００２７】
上記のように構成された本実施例２において、第２吐水口２６から吐水された洗浄水は前述したように、第２吐水路２４の曲げ部Ｃを通過する間に、流れの向きが内向きに強制的に変えられ、第２吐水口２６より便鉢２内の下方へ向けて吐水される。このとき、洗浄水が曲げ部Ｃによって流れの向きを変えるときの外周側（通水部１７内の右側壁１７Ｒおよび規制壁２５に沿う側）では内周側（迫り出し部２３に沿う側）に比べて流速が速くなっている。その分、外周側では洗浄水が上壁１７Ａの内面を押し上げる力は内周側に比較して強くなっている。
【００２８】
このことを考慮して、本実施例２では流れの外周側にのみガイド部３０を設けるようにしている。つまり、ガイド部３０の形成範囲が、洗浄水の吐水方向に対する矯正機能が特に効果的に発揮される場所に限定されている。ガイド部３０自体は、洗浄水にとっては流れの抵抗となるため、このように、ガイド部３０の形成範囲が必要最小限の幅範囲に限られていることは、洗浄水の水勢低下を最小限度に留めることに有効である。しかも、本実施例のガイド部３０は流れの外周側から内周側にかけて突出高さを徐々に低めており、このことも水勢低下の抑制に寄与する。
【００２９】
＜他の実施例＞
本発明は上記記述及び図面によって説明した実施例に限定されるものではなく、例えば次のような実施例も本発明の技術的範囲に含まれる。
（１）上記実施例では、ガイド部２７，３０の内側面（洗浄水の流れ方向に関して上流側となる面）が上壁１７Ａの内面から切り立つような形状のものを示したが、下流側に向けて下り勾配となるような傾斜面を形成して、洗浄水の下方への誘導作用がより円滑に発揮されるようにしてもよい。こうすることで、水勢低下の緩和も期待できる。
（２）上記実施例では、ガイド部２７，３０を第２吐水口２６の開口縁に形成したが、これより上流側の近傍に配してもよい。
（３）上記実施例では、ガイド部２７，３０は第２吐水口２６の開口縁の一箇所のみに配置したが、複数個所に配置してもよい。その場合には、例えば、第２吐水口２６の上流側から下流側にかけて徐々に突出高さを増してゆくような複数のガイド部を設けるようにすることが考えられる。
【符号の説明】
【００３０】
２…便鉢
１２…洗浄水給水部
１７…通水部
２１…第１吐水路
２２…第１吐水口
２４…第２吐水路
２６…第２吐水口
２７，３０…ガイド部
Ｃ…曲げ部
【図１】
2015194005.tif 000003
【図２】
2015194005.tif 000004
【図３】
2015194005.tif 000005
【図４】
2015194005.tif 000006
【図５】
2015194005.tif 000007